(57)【特許請求の範囲】
【請求項１】
新たなコンテンツの記録に必要な記録容量を計算し、記録媒体の記録容量が不足する場合には、当該記録媒体に記録されているコンテンツを消去して、上記新たなコンテンツを当該記録媒体に記録する記録装置において、
上記記録媒体に記録されているコンテンツと当該コンテンツの複数の属性項目の各属性情報とを関連付けたコンテンツ属性データベース、および、上記属性項目毎に複数設定された各消去因子と消去因子ポイントとを関連付けたポイントデータベースを格納した格納部と、
上記コンテンツ属性データベースを参照してコンテンツ毎に抽出した属性情報のそれぞれに対応する消去因子のそれぞれに関連付けられた消去ポイントを、上記ポイントデータベースを参照して抽出し、抽出した消去ポイントに基づいて評価ポイントを算出するポイント算出手段と、
上記ポイント算出手段により計算された評価ポイントを基に、上記記録媒体に記録されているコンテンツの消去順位を決定する消去順位決定手段と、
消去順位決定手段が決定した消去順位に基づいた順にコンテンツの属性情報を並べて表示する表示処理手段と、
ユーザによる消去指示を受け付け、上記記録媒体に記録されているコンテンツを消去する消去処理手段と、を備えており、
上記記録媒体にはコンテンツに含まれる、ライセンス情報を記録するセキュア領域と、通常データを記録する通常領域とが設けられており、
上記ライセンス情報は、対応付けられた上記通常データの記録時間に伴って増加するデータであり、
上記セキュア領域において上記ライセンス情報の記録に使用されている使用容量、および、上記通常領域において上記通常データの記録に使用されている使用容量がそれぞれ上記消去因子として設定されていることを特徴とする記録装置。
【請求項２】
新たなコンテンツの記録に必要な記録容量を計算し、記録媒体の記録容量が不足する場合には、当該記録媒体に記録されているコンテンツを消去して、上記新たなコンテンツを当該記録媒体に記録する記録装置において、
上記記録媒体に記録されているコンテンツと当該コンテンツの複数の属性項目の各属性情報とを関連付けたコンテンツ属性データベース、および、上記属性項目毎に複数設定された各消去因子と消去因子ポイントとを関連付けたポイントデータベースを格納した格納部と、
上記コンテンツ属性データベースを参照してコンテンツ毎に抽出した属性情報のそれぞれに対応する消去因子のそれぞれに関連付けられた消去ポイントを、上記ポイントデータベースを参照して抽出し、抽出した消去ポイントに基づいて評価ポイントを算出するポイント算出手段と、
上記ポイント算出手段により計算された評価ポイントを基に、上記記録媒体に記録されているコンテンツの消去順位を決定する消去順位決定手段と、
消去順位決定手段により決定された消去順位に従って、上記記録媒体に記録されているコンテンツを消去する消去処理手段と、を備えており、
上記記録媒体にはコンテンツに含まれる、ライセンス情報を記録するセキュア領域と、通常データを記録する通常領域とが設けられており、
上記ライセンス情報は、対応付けられた上記通常データの記録時間に伴って増加するデータであり、
上記セキュア領域において上記ライセンス情報の記録に使用されている使用容量、および、上記通常領域において上記通常データの記録に使用されている使用容量がそれぞれ上記消去因子として設定されていることを特徴とする記録装置。
【請求項３】
上記セキュア領域および上記通常領域のそれぞれについて、記録容量および残容量の少なくとも一方の情報を含む容量情報を取得する容量情報取得手段と、
取得した上記セキュア領域の容量情報と上記通常領域の容量情報とを統合する容量情報統合手段と、
上記容量情報統合手段において統合した容量情報を表示する表示手段と、
をさらに備えていることを特徴とする請求項１または２に記載の記録装置。
【請求項４】
コンテンツに含まれる情報をライセンス情報と通常データとに分離すると共に、上記ライセンス情報を上記セキュア領域に記録し、上記通常データを上記通常領域に記録する領域分離記録手段をさらに備えていることを特徴とする請求項３に記載の記録装置。
【請求項５】
新たなコンテンツを記録する際に、上記セキュア領域および上記通常領域のそれぞれにおいて必要となる記録容量を算出する新コンテンツ容量算出手段をさらに備えていることを特徴とする請求項３または４に記載の記録装置。
【請求項６】
上記記録媒体に記録されている各コンテンツのライセンス情報の記録容量を総計することにより上記セキュア領域における記録容量を算出すると共に、上記記録媒体に記録されている各コンテンツの通常データの記録容量を総計することにより上記通常領域における記録容量を算出する記録容量算出手段をさらに備えていることを特徴とする請求項３から５の何れか１項に記載の記録装置。
【請求項７】
新たなコンテンツを記録する際に、記録容量が不足している記録領域がある場合、
上記ポイント算出手段は、記録容量が不足している記録領域での、上記コンテンツ毎に使用している記録容量である消去因子の重みを高めることを特徴とする請求項１または２に記載の記録装置。
【請求項８】
上記ポイント算出手段は、抽出した複数の消去因子ポイントを、消去因子ポイントの対応する消去因子が属する属性項目に設定された重みによって重み付けし、複数の重み付けした消去因子ポイントに基づいて評価ポイントを算出する請求項１から７の何れか１項に記載の記録装置。
【請求項９】
上記表示処理手段は、新たなコンテンツの記録に必要な容量に達する消去順位までのコンテンツの属性情報を表示することを特徴とした請求項１に記載の記録装置。
【請求項１０】
新たなコンテンツのダビングの予約を受け付けるダビング予約受け付け手段をさらに備え、
上記消去順位決定手段は、上記消去処理手段が消去しないように、ダビング予約されたコンテンツに消去順位を付けないことを特徴とする請求項１または２に記載の記録装置。
【請求項１１】
コンテンツを消去する際に、当該コンテンツ属性情報を上記格納部に保存する消去コンテンツ属性情報保存手段をさらに備えていることを特徴とする請求項１から１０の何れか１項に記載の記録装置。
【請求項１２】
新たに記録されるコンテンツが複数ある場合、
上記表示処理手段は、新たに記録される複数のコンテンツのうちの特定の記録期間のコンテンツを記録するために必要な容量に相当する上記記録媒体に記録されているコンテンツの属性情報と、上記特定の記録期間のコンテンツ以外の新たなコンテンツの記録に必要な上記記録媒体に記録されているコンテンツの属性情報とを同時に表示することを特徴とする請求項１に記載の記録装置。
【請求項１３】
新たに記録されるコンテンツが複数ある場合、
上記表示処理手段は、新たに記録される複数のコンテンツのうちの特定の記録期間のコンテンツを記録するために必要な容量に相当する上記記録媒体に記録されているコンテンツの属性情報とは別に、
上記特定の記録期間のコンテンツ以外の新たなコンテンツの記録に必要な上記記録媒体に記録されているコンテンツの属性情報を同時あるいは段階的に表示することを特徴とする請求項１に記載の記録装置。
【請求項１４】
新たなコンテンツの記録の予約が可能であり、記録を予約されているコンテンツの実際の記録が可能な日時の情報である記録可能日時情報を作成して表示する記録可能日時処理手段をさらに備えていることを特徴とする請求項１または２に記載の記録装置。
【請求項１５】
上記記録可能日時処理手段は、上記記録可能日時情報の表示を、消去順に並べたコンテンツの属性情報を表示する属性情報表示領域に行うことを特徴とする請求項１４に記載の記録装置。
【請求項１６】
上記記録可能日時処理手段は、上記記録媒体に空き容量が不足する度に、上記記録可能日時情報を更新することを特徴とする請求項１４または１５に記載の記録装置。
【請求項１７】
新たなコンテンツの記録に必要な記録容量を計算し、記録媒体の記録容量が不足する場合には、当該記録媒体に記録されているコンテンツを消去して、上記新たなコンテンツを当該記録媒体に記録する記録装置の制御方法において、
当該記録装置は、上記記録媒体に記録されているコンテンツと当該コンテンツの複数の属性項目の各属性情報とを関連付けたコンテンツ属性データベース、および、上記属性項目毎に複数設定された各消去因子と消去因子ポイントとを関連付けたポイントデータベースを格納した格納部を備えており、
上記コンテンツ属性データベースを参照してコンテンツ毎に抽出した属性情報のそれぞれに対応する消去因子のそれぞれに関連付けられた消去ポイントを、上記ポイントデータベースを参照して抽出し、抽出した消去ポイントに基づいて評価ポイントを算出するポイント算出ステップと、
上記ポイント算出ステップにより計算された評価ポイントを基に、上記記録媒体に記録されているコンテンツの消去順位を決定する消去順位決定ステップと、
上記消去順位決定ステップにおいて決定した消去順位に基づいた順にコンテンツの属性情報を並べて表示する表示処理ステップと、
ユーザによる消去指示を受け付け、上記記録媒体に記録されているコンテンツを消去する消去処理ステップと、を含み、
上記記録媒体にはコンテンツに含まれる、ライセンス情報を記録するセキュア領域と、通常データを記録する通常領域とが設けられており、
上記ライセンス情報は、対応付けられた上記通常データの記録時間に伴って増加するデータであり、
上記セキュア領域において上記ライセンス情報の記録に使用されている使用容量、および、上記通常領域において上記通常データの記録に使用されている使用容量がそれぞれ上記消去因子として設定されていることを特徴とする記録装置の制御方法。
【請求項１８】
新たなコンテンツの記録に必要な記録容量を計算し、記録媒体の記録容量が不足する場合には、当該記録媒体に記録されているコンテンツを消去して、上記新たなコンテンツを当該記録媒体に記録する記録装置の制御方法において、
当該記録装置は、上記記録媒体に記録されているコンテンツと当該コンテンツの複数の属性項目の各属性情報とを関連付けたコンテンツ属性データベース、および、上記属性項目毎に複数設定された各消去因子と消去因子ポイントとを関連付けたポイントデータベースを格納した格納部を備えており、
上記コンテンツ属性データベースを参照してコンテンツ毎に抽出した属性情報のそれぞれに対応する消去因子のそれぞれに関連付けられた消去ポイントを、上記ポイントデータベースを参照して抽出し、抽出した消去ポイントに基づいて評価ポイントを算出するポイント算出ステップと、
上記ポイント算出ステップにより計算された評価ポイントを基に、上記記録媒体に記録されているコンテンツの消去順位を決定する消去順位決定ステップと、
消去順位決定ステップにおいて決定された消去順位に従って、上記記録媒体に記録されているコンテンツを消去する消去処理ステップと、を含み、
上記記録媒体にはコンテンツに含まれる、ライセンス情報を記録するセキュア領域と、通常データを記録する通常領域とが設けられており、
上記ライセンス情報は、対応付けられた上記通常データの記録時間に伴って増加するデータであり、
上記セキュア領域において上記ライセンス情報の記録に使用されている使用容量、および、上記通常領域において上記通常データの記録に使用されている使用容量がそれぞれ上記消去因子として設定されていることを特徴とする記録装置の制御方法。
【請求項１９】
請求項１から１６の何れか１項に記載の記録装置を動作させるための制御プログラムであって、コンピュータを上記記録装置における上記各手段として機能させるための記録装置制御プログラム。
【請求項２０】
請求項１９に記載の記録装置制御プログラムが記録されたコンピュータ読み取り可能な記録媒体。
【発明の詳細な説明】
【技術分野】
【０００１】
本発明は、デジタル放送などを記録可能であり、空き容量を確保するために既に記録されている情報を消去する記録装置に関する。
【背景技術】
【０００２】
従来、テレビジョン放送等の映像信号を記録する録画再生装置（記録再生装置）において、放送信号をデジタル信号形式のデータストリームとして扱い、ランダムアクセス可能なデジタル記録メディアに記録ストリーム（記録放送番組）として記録するデジタル録画再生装置が提案されている。ランダムアクセス可能なデジタル記録メディアとしては、例えば、ハードディスクＨＤＤ（Hard Disk Drive）や、デジタル多用途ディスクＤＶＤ（Digital Versatile disk）や、ＢＤ（Blu-ray Disc）等が挙げられる。【０００３】
デジタル録画再生装置に限ったことではないが、録画再生装置には、記録（ここでは、画像を記録する装置を説明するため、以下では録画とする）の機能として次のような機能がある。一つは、録画を行う時間を設定し、その設定した時間から録画を開始し、決められた時間に録画を停止する、いわゆる「予約録画」機能である。他の一つは、録画開始が入力される（録画が実行される）ことですぐに録画を開始し、録画停止が入力される（録画停止が実行される）まで録画を行う、いわゆる「通常録画」機能である。また、録画再生装置によっては、録画実行後に録画の終了時刻を設定し、その設定した時間に録画停止を行う機能や、予約録画を毎日あるいは、毎週決まった時間帯に行うよう設定する機能なども、一般的に録画機能として、提供されている。【０００４】
また、Ｇ−Ｃｏｄｅ（登録商標）やＥＰＧ（Electronic Program Guide、電子番組表）などから情報を取得し、録画時間を設定することなども、現在では標準機能として利用できる録画再生装置が一般的である。【０００５】
このようなデジタル録画再生装置の中には、デジタル記録メディアとしてＨＤＤを用いると共に、ＨＤＤのランダムアクセス性を利用して、保存期間を過ぎた記録ストリームあるいは視聴済みの記録ストリームを消去する機能を有しているものがある。これは、使用済み記録領域を、新たなデータストリームを記録可能な空き領域として開放するための機能である。このような機能を有するデジタル録画再生装置として、データの重要度を自動判別し、これに応じてデータの自動消去を行う装置（例えば、特許文献１参照）や、データをタイトル単位で自動消去するのはなく、タイトル内の不必要な部分の消去を行う装置（例えば、特許文献２参照）がある。また、ＨＤＤの使用領域が足りなくなったときに、再生頻度を情報とした消去候補や警告を表示してーザに選択を促し、ユーザの選択に基づき記録可能な空き領域を開放する機能を有する装置がある（例えば、特許文献３参照）。また、連続ドラマのように定期的に放送されるものを録画予約する場合に、最後に記録できる放送の日時を表示する装置が提案されている（例えば、特許文献４参照）。【０００６】
これらのように、ＨＤＤが大容量であるとはいえ、その記憶領域が足りなくなった場合に記憶容量を確保するための消去を促す録画再生装置は、いくつか存在する。
【特許文献１】日本国公開特許公報特開２００３−２１７２６４（２００３年７月３１日公開）
【特許文献２】日本国公開特許公報特開２００４−３０３３６８（２００４年１０月２８日公開）
【特許文献３】日本国公開特許公報特開２００２−２６８９２３（２００２年９月２０日公開）
【特許文献４】日本国公開特許公報特開２００２−３３９８３（２００２年１月３１日公開）
【特許文献５】日本国公開特許公報特開２００１−１６０２６４（２００１年６月１２日公開）
【発明の開示】
【０００７】
しかしながら、従来の録画再生装置において自動消去を行う場合、あらかじめ決められた優先順位、あるいはジャンル別の残量、あるいは消去間隔でしか消去を行うことができない。また、どのような条件を設けたとしても、ユーザが意図しない番組が消されてしまう可能性が必ず発生する。そして、その場合、ユーザがどの録画情報が消去されてしまったのかを把握することは難しい。
【０００８】
他方、選択消去の場合、ユーザが自身で消去対象を選択するので、意図しないものが勝手に消されるということはない。しかし、消去対象を選択するにあたって、ＨＤＤの大容量化のため消去候補が多く表示されてしまう。結局ユーザにとっては、録画に必要となる領域を確保するための消去対象を選択するための手間と時間とがかかることになる。
【０００９】
また、特に毎週所定の時間に行う録画（毎週録画）を予約するなど、一定の期間に渡って録画をし続けるための機能を利用したときに、次のような問題がある。消去候補を表示する時点（例えば、予約を行う時点）では記録メディアの残容量に問題がなくても、毎週録画が長期に渡ったときに、容量が足りなくなってしまう可能性がある。そしてそのことに気付かないと、目的とした録画ができなくなってしまう。
【００１０】
同様に、予約でなく、通常録画をする際には、ユーザがいつ録画を停止するかが録画開始時には分からないことがある。そのため、容量が足りなくなってしまうことに気付かず、目的とした録画ができなくなってしまう可能性がある。
【００１１】
本発明は、上記の問題点に鑑みてなされたものであり、その目的は、ユーザが適切な操作で記録媒体に必要な空き容量を確保することができる記録装置、記録装置の制御方法、記録装置の制御プログラム、およびコンピュータ読み取り可能な記録媒体を実現することにある。
【００１２】
本発明に係る記録装置は、上記課題を解決するために、新たなコンテンツの記録に必要な記録容量を計算し、記録媒体の記録容量が不足する場合には、当該記録媒体に記録されているコンテンツを消去して、上記新たなコンテンツを当該記録媒体に記録する記録装置において、上記記録媒体に記録されているコンテンツと当該コンテンツの複数の属性項目の各属性情報とを関連付けたコンテンツ属性データベースと、上記属性項目毎に複数設定された各消去因子と、消去因子ポイントとを関連付けたポイントデータベースとを格納した格納部と、上記コンテンツ属性データベースから、コンテンツ毎に、属性情報を抽出し、抽出した各属性情報と対応する消去因子に関連付けられた消去因子ポイントを、上記ポイントデータベースからそれぞれ抽出し、抽出した複数の消去因子ポイントに基づいて評価ポイントを算出するポイント算出手段と、を備えることを特徴としている。
【００１３】
また、本発明に係る記録装置の制御方法は、上記課題を解決するために、新たなコンテンツの記録に必要な記録容量を計算し、記録媒体の記録容量が不足する場合には、当該記録媒体に記録されているコンテンツを消去して、上記新たなコンテンツを当該記録媒体に記録する記録装置の制御方法において、上記記録装置は、上記記録媒体に記録されているコンテンツと当該コンテンツの複数の属性項目の各属性情報とを関連付けたコンテンツ属性データベースと、上記属性項目毎に複数設定された各消去因子と、消去因子ポイントとを関連付けたポイントデータベースとを格納した格納部を備えており、上記コンテンツ属性データベースから、コンテンツ毎に、属性情報を抽出し、抽出した各属性情報と対応する消去因子に関連付けられた消去因子ポイントを、上記ポイントデータベースからそれぞれ抽出し、抽出した複数の消去因子ポイントに基づいて評価ポイントを算出するポイント算出ステップを含むことを特徴としている。
【００１４】
上記構成および上記方法によると、コンテンツ属性情報データベースでは、記録媒体に記録されているコンテンツと当該コンテンツの複数の属性項目の各属性情報とが関連付けられている。ここで、属性項目とは、コンテンツに属する項目であればよく、例えば、コンテンツ名、記録日時、記録時間、コンテンツのジャンル、コンテンツの重要度等が挙げられるが、これらに限定はされない。属性情報とは、属性項目の情報であり、例えば、コンテンツ名の情報（例えば、放送番組名（タイトル）等）、記録日時の情報（つまり、２００５年４月２０日０時等）、記録時間の情報（つまり、３０分等）、コンテンツのジャンル（例えばドラマ、ニュース、スポーツ等）、コンテンツの重要度（例えば、ランク１等）、等が挙げられるが、これらに限定はされない。
【００１５】
また、ポイントデータベースでは、属性項目毎に複数設定された各消去因子と、消去因子ポイントとが関連付けられている。ここで消去因子とは、コンテンツの消去に利用される因子である。例えば、属性情報が記録時間であれば、消去因子は、記録時間が３０分未満のもの、記録時間が３０以上６０分未満のもの、６０分以上のもの、である。また、例えば、属性情報が記録日時であれば、消去因子は、２００５年４月２１日以前のもの、２００５年４月２２日以降のもの、また例えば、属性項目がコンテンツの重要度であれば、消去因子は、ランク１のもの、ランク２のものである。これらは単なる例示である。このように、消去因子と属性情報は対応している。
【００１６】
また、消去因子ポイントとは、消去因子毎に予め与えられたポイントである。また、この消去因子ポイントは、ユーザによって与えられるようになっていたり、変更できるようになっていてもよい。
【００１７】
上記構成および上記方法によると、上記のような属性情報データベースとポイントデータベースとを基に、それぞれのコンテンツについて、次の様に、評価ポイントを算出することができる。つまり、コンテンツ属性データベースから、コンテンツ毎に、属性情報を抽出し、抽出した各属性情報と対応する消去因子に関連付けられた消去因子ポイントを、上記ポイントデータベースからそれぞれ抽出し、抽出した複数の消去因子ポイントに基づいて評価ポイントを算出することができる。
【００１８】
このように、コンテンツそれぞれに対して、コンテンツの属性情報に対応しており、コンテンツの消去に利用される因子のポイントである消去因子ポイントを基に評価ポイントが算出される。よって、コンテンツの消去の優先順位を評価ポイントに基づき決めることができる。
【００１９】
ここで、評価ポイントが表示されるようになっていると、ユーザはその評価ポイントを確認することができ、ユーザは、その評価ポイントに基づいてコンテンツの消去を指示すれば、適切な操作で記録媒体に必要な空き容量を確保することができる。また、評価ポイントを確認することで、必要容量を確保するために消去するコンテンツの選択に手間をかけなくても済むようになる。
【００２０】
あるいは、評価ポイントに基づいて自動的にコンテンツが消去されるようになっていても、消去因子ポイントをユーザが付与したり変更したりできるようになっていれば、ユーザの好みに沿った消去することができる。
【００２１】
なお、コンテンツとは、映像、音声、テキストなどの各単体情報、または、これらのいくつかを内包する情報の集合体のことであり、例えば、放送番組を記録するときは該当の放送番組であるとする。もちろん、コンテンツは、放送番組以外のカテゴリでまとめたものであってもよい。また、新たなコンテンツとは、現時点から記録をするコンテンツだけでなく、予約することで未来に記録するコンテンツを含むものとする。また、記録媒体に記録されているコンテンツとは、現時点で記録媒体に記録されているコンテンツ以外にも、未来であり、かつ、新たなコンテンツの記録より前に、記録媒体に記録される記録の予約が行われているコンテンツを含むものとする。
【００２２】
本発明のさらに他の目的、特徴、および優れた点は、以下に示す記載によって十分わかるであろう。また、本発明の利益は、添付図面を参照した次の説明で明白になるであろう。
【図面の簡単な説明】
【００２３】
【図１】本発明の一実施形態を示すものであり、録画再生装置の要部構成を示すブロック図である。
【図２（ａ）】録画開始時に消去候補リストの作成を行う際のフローチャートである。
【図２（ｂ）】録画停止時に消去候補リストの作成を行う際のフローチャートである。
【図３（ａ）】コンテンツ属性情報データベースＤＢ１の一例、あるいは消去候補リストのテーブルを示す図である。
【図３（ｂ）】再生済フラグがＯＮに更新された、コンテンツン属性情報データベースＤＢ１の一例、あるいは消去候補リストのテーブルを示す図である。
【図４】ソーティングされ、更新された消去候補リストの一例を示す図である。
【図５（ａ）】受け付けた予約の一例を示す図である。
【図５（ｂ）】図５（ａ）の予約を受け付けたときの消去候補リストの一例を示す図である。
【図６（ａ）】消去候補リストに印を表示した例を示す図である。
【図６（ｂ）】消去候補リストを色分けした例を示す図である。
【図７（ａ）】消去候補リストにおいて１日分を消去候補とした例を示す図である。
【図７（ｂ）】消去候補リストにおいて１週間分を消去候補とした例を示す図である。
【図７（ｃ）】消去候補リストに１ヶ月分を消去候補とした例を示す図である。
【図７（ｄ）】消去候補リストに３つの特定期間を同時に表示した場合の例を示す図である。
【図８（ａ）】受け付けた予約の一例であり、図５（ａ）とは異なる例を示す図である。
【図８（ｂ）】図８（ａ）の予約を受け付けたときの消去候補リストの一例であり、図５（ｂ）とは異なる例を示す図である。
【図９】消去候補リストにおいて消去対象のコンテンツが選択された例を示す図である。
【図１０】上記録画再生装置において、予約が行われた際に、消去候補のコンテンツの属性情報を表示する処理のフローチャートである。
【図１１】上記録画再生装置において、現在表示している番組を通常録画した際に消去候補のコンテンツの属性情報を表示する処理のフローチャートである。
【図１２】上記録画再生装置において、消去予約として登録した場合の消去の処理のフローフローチャートである。
【図１３】記録可能日時情報が表示された画面の一例を示す図である。
【図１４】ポイントデータベースの一例を示す図である。
【図１５】本発明の他の実施形態の録画再生装置の要部構成を示すブロック図である。
【図１６】コンテンツ記録部に記録されているデータを説明する図である。
【図１７（ａ）】消去候補リストの一例を示す図である。
【図１７（ｂ）】ソーティングされ、更新された消去候補リストの一例を示す図である。
【図１８】ポイントデータベースの一例を示す図である。
【図１９（ａ）】ソーティングされ、更新された消去候補リストの一例を示す図である。
【図１９（ｂ）】ソーティングされ、更新された消去候補リストの一例を示す図である。
【図１９（ｃ）】ソーティングされ、更新された消去候補リストの一例を示す図である。
【発明を実施するための最良の形態】
【００２４】
〔実施の形態１〕
本発明の一実施形態について図１〜図１４に基づいて説明すると以下の通りである。本実施形態では、本発明の記録装置を録画再生装置として説明するが、再生部を備えていない録画装置であっても構わない。また、本実施形態では、映像を記録するために録画という言葉を用いるが、本発明の記録装置は、音声情報のみや、文字情報のみを記録する記録装置であってもかまわず、情報の記録が行えるものであれば構わない。【００２５】
（装置の構成）
図１は、本実施形態の録画再生装置（記録装置）１１５の構成を示すブロック図である。録画再生装置１１５は、新たなコンテンツの記録に必要な記録容量を計算し、コンテンツ記録部（記録媒体）１０７の記録容量が不足する場合には、コンテンツ記録部１０７に記録されているコンテンツを消去（消去）して、新たなコンテンツをコンテンツ記録部１０７に記録するものである。また、録画再生装置１１５は、新たなコンテンツの記録に必要な記録容量を計算し、外部の記録媒体（記録媒体）１１１の記録容量が不足する場合には、外部の記録媒体１１１に記録されているコンテンツを消去（消去）して、新たなコンテンツを外部の記録媒体１１１に記録するものであってもよい。【００２６】
図１に示すように、録画再生装置１１５は、チューナ１０２、チューナ１０２により同調選択されたテレビ放送の受信に関する処理を行う受信処理部１０３、テレビ放送信の再生処理に関する処理を行う再生処理部１０４、再生処理されたテレビ放送をディスプレイ１１４に対して出力する出力部１０５、システム制御部１０６、コンテンツを記録するコンテンツ記録部（記録媒体）１０７、外部の記録媒体１１１の差込口である媒体差込部１１２、不揮発性メモリ（格納部）１１７を備えている。ここで、コンテンツを記録するコンテンツ記録部１０７（記憶媒体）として、リムーバブルハードディスク、他のリムーバブルメディア（例えば、ＤＶＤに代表される光ディスク、録画再生装置（記録装置）１１５に内蔵されたiVDR（Information Versatile Disk for Removable usage）リムーバブルハードディスクドライブなど）が考えられる。また、コンテンツ記録部１０７は、アクセス時間が短く低価格であるので、固定ハードディスク装置などでも構わない。また、コンテンツ記録部１０７は、外部に取り出し可能な記録媒体でも構わない。【００２７】
また、録画再生装置１１５は、リモコン（リモートコントローラー）１１６により操作が行われるようになっている。なお、リモコン１１６による操作だけでなく、録画再生装置１１５に設けられたスイッチやボタン等により直接操作できるようになっていてもよい。【００２８】
システム制御部１０６は、録画再生装置１１５における各種構成の動作を統括的に制御する。また、システム制御部１０６は、ポイント算出部（ポイント算出手段）１２０、消去候補作成／ソート部（消去順位決定手段、消去コンテンツ属性情報保存手段）１０８、リスト表示処理部（表示処理手段）１０９、操作受付部１１０、消去処理部（消去処理手段）１２１、として機能する。【００２９】
ポイント算出部１２０は、以下で説明するコンテンツ属性情報データベース（コンテンツ属性データベース）ＤＢ１とポイントデータベースＤＢ２とを基に、それぞれのコンテンツについて、次の様に評価ポイントを算出することができる。つまり、コンテンツ属性情報データベースＤＢ１から、コンテンツ毎に属性情報を抽出する。そして、コンテンツ毎に、抽出した各属性情報と対応する消去因子に関連付けられた消去因子ポイントを、上記ポイントデータベースＤＢ２からそれぞれ抽出し、抽出した複数の消去因子ポイントに基づいて評価ポイントを算出する。また、ポイント算出部１２０は、抽出した複数の消去因子ポイントを消去因子ポイントの対応する消去因子が属する属性項目に設定された重みによって重み付けし、複数の重み付けした消去因子ポイントに基づいて評価ポイントを算出する。この算出については後述する。【００３０】
消去候補作成／ソート部１０８は、ポイント算出部１２０により計算された評価ポイントを基に、上記記録媒体に記録されているコンテンツの消去順位を決定する。また、消去候補作成／ソート部１０８は、コンテンツを消去する際に、コンテンツ属性情報を不揮発性メモリ１１７保存する機能を有している。【００３１】
リスト表示処理部１０９、消去候補作成／ソート部１０８が決定した消去順位に基づいた順に並べた、コンテンツの属性情報を表示する。【００３２】
操作受付部１１０は、ユーザの録画再生装置１１５に対するあらゆる指示を受け付ける。【００３３】
消去処理部１２１は、リモコン１１６を介して操作受け付け部が受けたユーザ指示により、コンテンツ記録部１０７に記録されたコンテンツの消去を行う。【００３４】
予約部１１３は、ユーザから受け付けた予約録画に関する全ての処理を行う。【００３５】
これらポイント算出部１２０、消去候補作成／ソート部１０８、リスト表示処理部１０９、操作受付部１１０、消去処理部（消去処理手段）１２１、予約部１１３が行う詳細な処理については後述する。【００３６】
また、不揮発性メモリ１１７には、コンテンツ属性情報データベースＤＢ１とポイントデータベースＤＢ２とが格納されている。【００３７】
ここで、コンテンツ属性情報データベースＤＢ１では、図３（ａ）に示すように、コンテンツ記録部１０７に記録されているコンテンツと当該コンテンツの複数の属性項目の各属性情報とが関連付けられている。ここで、属性項目とは、コンテンツに属する項目であればよく、例えば、コンテンツ名、記録日時、記録時間、コンテンツのジャンル、コンテンツの重要度等が挙げられるが、これらに限定はされない。属性情報とは、属性項目の情報であり、例えば、コンテンツ名の情報（例えば、放送番組名（タイトル）等）、記録日時の情報（つまり、２００５年４月２０日０時等）、記録時間の情報（つまり、３０分等）、コンテンツのジャンル（例えばドラマ、ニュース、スポーツ等）、コンテンツの重要度（例えば、ランク１等）、等が挙げられるが、これらに限定はされない。【００３８】
また、ポイントデータベースＤＢ２では、図１４に示すように、属性項目毎に複数設定された各消去因子と、消去因子ポイントとが関連付けられている。ここで消去因子とは、コンテンツの消去に利用される因子である。例えば、属性情報が記録時間であれば、消去因子は、記録時間が３０分未満のもの、記録時間が３０以上６０分未満のもの、６０分以上のもの、である。また、例えば、属性情報が記録日時であれば、消去因子は、２００５年４月２１日以前のもの、２００５年４月２２日以降のもの、また例えば、属性項目がコンテンツの重要度であれば、消去因子は、ランク１のもの、ランク２のものである。これらは単なる例示である。このように、消去因子と属性情報は対応している。【００３９】
また、因子ポイントとは、消去因子毎に予め与えられたポイントである。また、この因子ポイントは、ユーザによって与えられるようになっていたり、変更できるようになっていたりしてもよい。【００４０】
録画再生装置１１５では、アンテナ１０１により受信されるデジタルテレビ放送は、録画再生装置１１５に取込まれ、録画またはリアルタイムで表示される。ここで、本実施形態ではデジタルテレビ放送を用いて説明するが、デジタルに限定されることはない。デジタルテレビ放送はチューナ１０２により同調選択された後、受信処理部１０３において処理される。表示出力する場合、デジタル放送信号は、再生処理部１０４に送られ、再生処理が施された後、出力部１０５を通じてディスプレイ１１４に表示される。【００４１】
録画再生装置１１５においてコンテンツを録画する場合は、受信処理部１０３によって、システム制御部１０６にデジタルテレビ放送の信号が送られる。そして、システム制御部１０６によって、コンテンツ記録部１０７が制御され、前記デジタルテレビ放送信号が取込まれてコンテンツが記録される。【００４２】
また、録画をする時間をあらかじめ定めておく、いわゆる予約録画を行う場合は、リモコン１１６などからユーザ操作を受け、予約部１１３によって、不揮発性メモリ１１７に予約情報が保存される。そして、予約時間になった際に、システム制御部１０６は、この予約情報を参照して録画を開始するよう、コンテンツ記録部１０７を制御する。【００４３】
消去候補作成／ソート部１０８は、デジタルテレビ放送信号がコンテンツ記録部１０７に記録される前などに、コンテンツ記録部１０７における残り時間などの各種情報から、消去候補を抽出、ソーティングして消去候補リストを作成する。消去候補リストの作成方法／ソート方法は、特に限定しないが、具体的な例は後述する。【００４４】
作成された消去候補リストは、リスト表示処理部１０９に送られ、出力部１０５を介してディスプレイ１１４に表示される。また、コンテンツをディスプレイ１１４で出力しながら録画する場合は、ディスプレイ１１４とコンテンツ記録部１０７の双方にデジタルテレビ放送の信号が供給される。【００４５】
コンテンツ記録部１０７に記録されたコンテンツを再生する際には、ユーザ操作に応じてシステム制御部１０６によりコンテンツ記録部１０７が駆動され、再生信号が読み出される。そして、再生処理部１０４、出力部１０５を介してディスプレイ１１４に表示される。また、コンテンツ記録部１０７に記録されたコンテンツは消去処理部１２１により消去されるようになっている。【００４６】
上記のような構成である録画再生装置１１５において、録画開始時や予約録画に消去候補を表示し、消去を促す方法について、以下で説明する。【００４７】
（消去候補リスト作成および更新）
録画再生装置１１５における消去候補リストの作成および更新手段について説明する。本実施形態において、消去候補リストは、コンテンツ記録部１０７にデジタルテレビ放送などが録画される際に同時に作成される。消去候補リストは、録画開始時であれば、例えば、図２（ａ）に示すフローチャートの処理で作成される。図２（ａ）に示すように、予め消去候補リストがあるかを判断し（Ｓ９０１）、録画の場合には（Ｓ９０１においてＮＯ）、消去候補リストに録画を始めたコンテンツの情報を登録することで消去候補リストを作成する（Ｓ９０４）。既に消去候補リストが存在するのであれば（Ｓ９０１においてＹＥＳ）、それのリストを読み込み（Ｓ９０２）、追加更新を行う（Ｓ９０３）。また、リスト作成は、図２（ｂ）のように、録画開始時ではなく録画停止時に行っても構わないし、録画中に行っても構わない。図２（ｂ）に示す録画停止時における、消去候補リストの作成処理内容は、図２（ａ）に示す処理内容と同じなので、同じステップ番号を付し説明を省略する。【００４８】
また、録画したコンテンツすべてを消去候補リストとして保存する必要もない。例えば、再生済のコンテンツだけを候補リストとして登録更新する、例えば外部の記録媒体１１１にダビング予約されたコンテンツは候補リストから除外した上で、その他のコンテンツを候補リストとして登録更新するなど、定められた条件を満たしたものだけを登録するようにしても構わない。【００４９】
消去候補リストは、例えば、図３（ａ）に示すようなテーブルで保存され、後に説明をする実際の消去を行う際に情報を表示するためのデータとして利用される。本実施形態では、消去候補リストは、コンテンツ名、録画日時、録画時間、再生済フラグの４項目で構成される。録画直後では再生済みフラグは常にＯＦＦである。ただし、この項目については、この４つに限定されるわけではなく、消去候補リストの内容のソーティング条件などによって項目が増減するものとする。消去候補リストの作成は、コンテンツ記録部１０７に初めてデータが記録される場合に行われてもよい。【００５０】
ただし、消去候補リストの更新は、録画開始時や表示時に限らず、下記に挙げるような場合などコンテンツ記録部１０７の情報が更新されるタイミングであれば、どのようなタイミングで行っても構わない。消去候補リストの更新のタイミングは、例えば、
（１）録画時などコンテンツが増えた場合、
（２）消去時などコンテンツが減った場合、
（３）再生などコンテンツに対する操作があった場合、
（４）編集などコンテンツの内容が変わった場合、
（５）プレイリストなど他からの参照の増減があった場合、
（６）ダビングなど他媒体への転送があった場合、
（７）その他、ユーザあるいはシステムからの命令があった場合、等が挙げられる。【００５１】
例えば、図３（ａ）において、コンテンツＢを再生視聴した場合、図３（ｂ）に示すように、再生済フラグがＯＮに更新されることになり、次に説明をするソート手段によってソーティングされたリストに更に更新を行う。【００５２】
本実施形態では消去候補リストの作成は、コンテンツの記録開始時、あるいは記録停止時（終了時）に行う例を挙げているが、これについても特にこのタイミングでなくてもよい。実際に消去候補リストを表示するときなどに始めて消去候補リスト作成を行うなどしても構わない。【００５３】
次に、消去候補リストのソーティングについて説明をする。【００５４】
ソーティングについては、どのように行われても構わないが、例えば、録画日時が古い順に消去の優先度を高くするのであれば、消去候補リストは、本実施例の図３（ｂ）のままであるが、例えば、再生済のコンテンツを消去候補ほど優先度が高いというソート手段とするのであれば、図４のようにソーティングされてリスト更新される。【００５５】
ソーティングに用いる条件は、上記に限らず、どのような情報を用いても構わない。具体的には、次に挙げるようなものを利用してソーティングしてもよい。
（１）録画日時の情報を基に、古い順にソーティング
（２）再生（視聴）回数の情報を基に、再生が多いあるいは少ない順にソーティング
（３）ダビングしたことの情報を基に、既にダビング済のものを優先してソーティング
（４）シリーズ番組であることの情報を基に、シリーズ番組は優先度を下げてソーティング
（５）ユーザあるいはシステムが任意につけるフラグがある場合には、そのフラグを用いたソーティング
（６）番組ジャンルによるソーティング
（７）上記（１）〜（６）の条件の組み合わせ（パラメータによる重み付けによる評価関数数値など）により、ソーティング
ただし、もちろんこれらの条件を利用するためには、元からリストの項目として、あるいはリスト作成の際に扱える情報として、別途必要な情報を記録し、読み出せるようにしておく必要がある。【００５６】
図４を使った上記説明においては、説明を簡単にするため、ソーティングに用いる条件が単純なものでの例であったが、本発明に係る録画再生装置では、実際には複数の上記ソーティング条件を組み合わせることでソーティングされてリスト更新される。【００５７】
図４に示すソーティング例のように、再生済のコンテンツ消去候補ほど優先度が高いとのソート手段の他に、録画時間も合わせてソーティング条件としたソーティングについて説明する。【００５８】
図４のようにソーティングされた消去候補リストがあった場合、消去優先度が高い順に、
コンテンツＢ  2005.4.19  30分  ON
コンテンツＡ  2005.4.09  30分  OFF
コンテンツＣ  2005.4.21  30分  OFF
コンテンツＤ  2005.4.22  60分  OFF
コンテンツＥ  2005.4.22  60分  OFF
であるが、録画時間でのソーティング条件も優先度が比較的優先度が高くした場合のソーティング例には、例えば、次のようなものがある。例においては、優先度の高い順位に記している。
（例１）
コンテンツＢ  2005.4.19  30分  ON
コンテンツＡ  2005.4.09  30分  OFF
コンテンツＤ  2005.4.22  60分  OFF
コンテンツＥ  2005.4.22  60分  OFF
コンテンツＣ  2005.4.21  30分  OFF
（例２）
コンテンツＢ  2005.4.19  30分  ON
コンテンツＤ  2005.4.22  60分  OFF
コンテンツＥ  2005.4.22  60分  OFF
コンテンツＡ  2005.4.09  30分  OFF
コンテンツＣ  2005.4.21  30分  OFF
（例３）
コンテンツＢ  2005.4.19  30分  ON
コンテンツＤ  2005.4.22  60分  OFF
コンテンツＡ  2005.4.09  30分  OFF
コンテンツＣ  2005.4.21  30分  OFF
コンテンツＥ  2005.4.22  60分  OFF
（例４）
コンテンツＣ  2005.4.21  30分  OFF
コンテンツＢ  2005.4.19  30分  ON
コンテンツＡ  2005.4.09  30分  OFF
コンテンツＤ  2005.4.22  60分  OFF
コンテンツＥ  2005.4.22  60分  OFF
例１は、コンテンツＤおよびＥの録画時間が長いため、消去優先度をコンテンツＣより高いと判断し、また、録画日時がコンテンツＡの録画日時より１３日新しいことにより、コンテンツＡよりは消去優先度が低いと判断して例１に示すようなソーティング結果になったものである。【００５９】
例２は、例１とほぼ同じソーティング条件ではあるが、録画日時の差異が１ヶ月を超えるかどうかでソーティングを行うかどうかの設定になっている場合の例である。コンテンツＤおよびＥの録画日時とコンテンツＡの録画日時の差異（１３日）が設定値（１ヶ月）より小さいため、結果として、例１とは同じソーティングにはならず、コンテンツＤおよびＥの消去優先度が高くソーティングされたものである。【００６０】
例３は、例１に示す複数のソーティング条件の重み付けによるソーティングとは異なり、録画時間による重み付けを高くした場合のソーティング例である。この例では、消去により確保する必要な記憶装置の容量が録画時間９０分程度に相当して、コンテンツＢおよびＤの２つを消去することで確保可能であると算出された場合である。図４に示す当初のソーティング状態では、コンテンツＤとコンテンツＥは、同じ録画日時・録画時間であるが、上記必要容量の算出結果によりコンテンツＥは消去優先度をコンテンツＤ並みに高くしていない。もちろん、必要な容量が１２０分程度以上の場合は、コンテンツＥの消去優先度も合わせて高くしたソーティングを行う。【００６１】
例４は、例３とも異なるソーティング条件による結果である。例えば、コンテンツＣがユーザにとってあまり重要でないコンテンツ，シリーズ番組，ジャンルであった場合、最も消去優先度を高くした場合のソーティング例である。また、再生済フラグをソーティングの条件の重み付けで最も高くした場合は、コンテンツＣとコンテンツＢの順番は入れ替わることとなる。【００６２】
ここで、録画再生装置１１５は、コンテンツの消去の優先順位を決定するためにについて以下のような処理を行う。【００６３】
ソーティング条件により重み付けを行った評価関数数値の一例について、例４のソーティング例を使って説明する。【００６４】
ソーティング条件（属性項目）を再生済みフラグ，録画時間，録画日時からの経過時間，コンテンツ重要度，の４つである場合に評価関数を次のように規定したとする。
評価関数：Ｗ１×Ｖ１＋Ｗ２×Ｖ２＋Ｗ３×Ｖ３＋Ｗ４×Ｖ４
ここで、Ｗ１，Ｗ２，Ｗ３，Ｗ４はそれぞれのソーティング条件の重み係数であり、Ｖ１，Ｖ２，Ｖ３，Ｖ４はそれぞれのソーティング条件単一での評価値である。仮に、Ｗ１，Ｗ２，Ｗ３，Ｗ４それぞれの重み付けを２０，１０，２０，１００であるとすると、この場合、評価関数は、次のようになる。
評価関数：２０×Ｖ１＋１０×Ｖ２＋２０×Ｖ３＋１００×Ｖ４
また、以下の（１）〜（４）を用いて各ソーティング条件についての評価値（消去因子ポイント）を求める。この評価値は図１４にまとめて示す。
（１）再生済みフラグ（Ｖ１）がＯＮであれば、３０（point）、ＯＦＦであれば０（point）
（２）録画時間（Ｖ２）が、３０分未満のものであれば５（point）、３０分以上６０分未満であれば１０（point）、６０分以上であれば、２０（point）
（３）録画日時からの経過時間（Ｖ３）が２００５年４月２０日以前であれば５０（point）、２００５年４月２１日以降であれれば、０（point）
（４）コンテンツ重要度（Ｖ４）がランク１であれば５（point）、ランク２であれば１０（point）ランク３であれば３０（point）
なおコンテンツの重要度はユーザが決めるようになっていても、録画再生装置１１５が予め定められた基準に従って決めるようになっていてもよい。【００６５】
ここで、コンテンツＡ，Ｂ，Ｅの各コンテンツの重要度が高く（ランク１）、Ｄの重要度が比較的低く（ランク２）、コンテンツＣの重要度が最も低く（ランク３）であったとすると、上記の例４に記載の各コンテンツの情報（属性情報）を基に、各コンテンツの評価関数数値（評価ポイント）を算出すると、以下のようになる。この算出は、不揮発性メモリ１１７に格納されている、コンテンツ属性情報データベースＤＢ１とポイントデータベースＤＢ２とを参照にして行なわれる。
コンテンツＡ：20× 0 ＋ 10× 5 ＋ 20×50 ＋ 100× 5 ＝ 1550（point）
コンテンツＢ：20×30 ＋ 10× 5 ＋ 30×50 ＋ 100× 5 ＝ 2150（point）
コンテンツＣ：20× 0 ＋ 10× 5 ＋ 30× 0 ＋ 100×30 ＝ 3050（point）
コンテンツＤ：20× 0 ＋ 10×10 ＋ 30× 0 ＋ 100×10 ＝ 1100（point）
コンテンツＥ：20× 0 ＋ 10×10 ＋ 30× 0 ＋ 100× 5 ＝  600（point）
したがって、評価関数数値のポイントが高いほど消去優先度が高いと判断したソーティング結果は、上記の例４のようになる。【００６６】
ここで、再生済みフラグによる重み付け（Ｗ１）を最も高く変更した場合、例えば、Ｗ１を２０から１５０に変更した場合は、各コンテンツの評価関数数値は、以下のようになる。
コンテンツＡ：150× 0 ＋ 10× 5 ＋ 20×50 ＋ 100× 5 ＝ 1550（point）
コンテンツＢ：150×30 ＋ 10× 5 ＋ 30×50 ＋ 100× 5 ＝ 6050（point）
コンテンツＣ：150× 0 ＋ 10× 5 ＋ 30× 0 ＋ 100×30 ＝ 3050（point）
コンテンツＤ：150× 0 ＋ 10×10 ＋ 30× 0 ＋ 100×10 ＝ 1100（point）
コンテンツＥ：150× 0 ＋ 10×10 ＋ 30× 0 ＋ 100× 5 ＝  600（point）
このように評価関数数値が変わるため、コンテンツＢの数値が最も高くなり、コンテンツＣとコンテンツＢのソーティング優先度は入れ替わることとなる。【００６７】
上記例では、再生済みフラグ，録画時間、録画日時からの経過時間、コンテンツ重要度、の４つの条件を基に評価関数数値を算出していたが、これに限定するものではなく、各コンテンツに対応している情報を基にしているものであれば、条件項目および条件項目数を任意に設定した別の評価関数でも構わない。【００６８】
また、上記例では、ソーティング条件に重み付けを行っているが、行われなくても、つまり、上記Ｗ１，Ｗ２，Ｗ３，Ｗ４はそれぞれ１であってもよい。【００６９】
また、上記例では、各ソーティング条件についての評価値の１次関数の和により評価関数を構成した例であったが、これに限定するものではない。例えば、高次関数で構成してもよいし、各ソーティング条件についての評価値間の乗算などにより構成したものでもよい。【００７０】
また、この更新を行うタイミングも、例えば、コンテンツＢを再生開始した際、再生停止後、リスト表示時など、更新を実行するタイミングは、どのような場合に行っても構わないし、どのように組み合わせても構わない。【００７１】
次に、このように作成された消去候補リストを実際に表示する方法について説明する。【００７２】
録画再生装置１１５では、消去候補リストは単純にソーティングされたリストを表示するのではなく、予約情報などから推測される不足容量分の容量を空けるために消去が必要なコンテンツをユーザが選択しやすい形で提示する。例えば、図５（ａ）に示すような予約をしていて残り残量が０になっているときに、図５（ｂ）に示すような画面の表示などをする。【００７３】
これは、全ての予約録画に必要な分の領域を確保するために必要な消去コンテンツの選択候補が表示されている。この例では、記録されているコンテンツと消去候補コンテンツの数は一致しているが、実際はコンテンツ記録部１９７に記録された膨大なコンテンツのうちから、消去候補となるコンテンツの属性情報のみ表示するか、消去候補コンテンツの中から容量を確保するために必要な消去候補のみの属性情報を色分けあるいは印を表示するか、などして、ユーザが判別しやすいように表示する。これらの例を図６（ａ），図６（ｂ）に示す。図６（ａ）が印（図において「※」）を表示した例であり、図６（ｂ）が色分けした例である。この消去候補の表示例では、消去候補が１画面ですべて表示できないため、表示画面に表示されたコンテンツの属性情報のすべてに対して印あるいは色分けが表示されている。しかし、もちろん、次ページ以降の画面表示可能な場合や、もともと消去候補が少ない場合は、この１画面上に記録されているコンテンツの属性情報と消去候補コンテンツの数が同時に表示されることになる。【００７４】
また、予約録画に必要な領域をすべて空けるのに必要な消去候補でなく、１日分、１週間分といったように、特定の期間の予約録画をするために必要な領域を個別あるいは同時に、例えば、図７（ａ）〜図７（ｄ）のように表示してもよい。図７（ａ）は１日分を消去候補とした場合であり、図７（ｂ）は１週間分を消去候補とした場合であり、図７（ｃ）は１ヶ月分を消去候補とした場合であり、図７（ｄ）はこの３つの特定期間を同時に表示した場合の表示例である。ちなみに、図７（ａ）および図７（ｂ）においては、この１画面上に記録されているコンテンツと消去候補コンテンツのコンテンツ数が同時に表示されている。【００７５】
このような表示が行われることで、ユーザはコンテンツを消去するために必要最小限の情報を得ることができる。【００７６】
また、図８のように同じ時間帯の録画を毎週ないし毎日行うという設定ができる場合も同様に、期間ごとの表示を行うことが可能である。【００７７】
ここまでの例は、全て予約録画をした際に計算される予想使用容量と、記録媒体の残容量から計算され、表示を行うことを前提としている。しかし、予約ではなく、通常録画中あるいは通常録画前などにリストを表示してもよいし、任意のタイミングで、表示を行っても構わない。具体的には、下記の（１）〜（８）のようなタイミングでリストが表示されてもよい。
（１）録画可能領域が任意の容量を下回った後の録画開始時
（２）録画中に録画可能領域が任意の容量を下回った場合
（３）録画完了あるいは開始時に、常に
（４）予約録画時（の容量が足りない場合）
（５）録画開始時の番組情報などから想定される録画終了時の容量が足りない場合
（６）録画中に設定される録画終了時間から計算される容量が足りない場合
（７）電源ＯＮ時に必ず
（８）その他、ユーザあるいはシステムが任意のタイミングで表示
次に、表示された消去候補の選択方法と選択時の消去手段について説明する。【００７８】
消去候補の選択方法としても、どのような方法を用いても構わないが、例えば、候補が表示されたときに、リモコンの任意のキーを押して、図９のようなデフォルトでの消去可否を問うような表示をだし、消去を促すなどができる。【００７９】
ユーザは、ここで最初に提示された消去候補ではなく、他の消去候補に変更したい場合は、「いいえ」を選択などすることにより、個別選択をできる画面に移動し、消去候補を入れ替えることができる。【００８０】
また、リモコンのボタンの機能によっては、消去候補が表示されている段階で、特定のキーを推すことで図９のような確認の画面を出さずに、消去候補を決定したり、入れ替えたりする画面に移動するなどするようにしても構わない。【００８１】
録画再生装置１１５は、上記のような手段によって選択された消去候補を、その場で消去する。ただし、この消去のタイミングについても、選択した時点で消去するのではなく、優先的に消去されるコンテンツとして別途記録しておき、実際に録画が始まり、容量が足りなくなる際に消去されても構わない。つまり、自動消去の予約ができるようになっていてもよい。【００８２】
以上に説明した消去候補リスト作成、表示、選択消去の方法を用いた消去選択候補表示および消去についての代表的なフローを図１０、図１１に示す。【００８３】
図１０は、ＥＰＧ（電子番組情報）を使って予約を行ったときに、消去候補を表示する場合の例である。図１０に示すように、まず、予約を開始し予約すべき番組（コンテンツ）が選択されると、Ｓ１００１にてＥＰＧから録画に要する時間を取得する。録画に要する時間を取得すると、Ｓ１００２に進み、予約により録画を行うコンテンツ記録部１０７の残容量時間を取得する。ここで、残容量については、本実施形態では時間で取得し表示することを前提としているが、バイトサイズなどを使ってもよく、単位はどのようなものでも構わない。【００８４】
次にＳ１００３にて、録画に要する時間と残容量時間を比較し、残容量時間が足りるか否かを判別する。ここで、残容量の閾値については、０を下回る場合としてもよいし、残り３０分以下の場合、とするなどあらかじめ決められた残容量を下回った場合としてもよい。それらの設定についてユーザや録画再生装置１１５で任意に決めてよい事項である。容量が不足していなければ、消去候補を選択の処理は特にすることがなく、予約処理はそのまま終了する。【００８５】
容量が不足している場合、Ｓ１００４に進み、消去候補リストを読み込み、Ｓ１００５にて表示を行う。ここで、消去候補リストは録画時などに読み込み表示することを前提としているが、録画されているコンテンツの情報から、この時点で初めて消去候補リストを作成し、表示するようにしても構わない。【００８６】
リストを表示した後は、ユーザのリモコンなどの操作により、表示されたデフォルトの消去候補を消去するということで問題ないという操作があった場合は、処理をＳ１００７に進める。Ｓ１００７では選択されているコンテンツを消去した上で処理を終了する。【００８７】
選択をし直す操作があった場合は、処理をＳ１００８に移し、他の選択候補を表示し、ユーザに消去候補を選択するよう促す。【００８８】
その後、Ｓ１００９にて、ユーザが消去候補を選択し、消去するのであれば処理はＳ１００７に移り、選択されているコンテンツを消去した上で処理を終了する。もし、ここで選択しないのであれば、選択処理は中断し、予約処理をキャンセル終了する。【００８９】
ただし、消去候補を選択しなかった場合の終了処理については、予約情報だけは登録して終了するようにしても構わない。【００９０】
次に、図１１は、現在表示出力している番組を通常録画した際に消去候補を表示する場合の例である。【００９１】
まず、録画を開始したら、Ｓ１１０１にてＥＰＧから録画の終了時間を取得する。このとき、この時間が閾値（例えば１分）以上あるか否かを判定する。閾値以上であれば、その番組が目的のコンテンツであるとして、Ｓ１１０３に処理を移し、番組の時間情報などを取得する。閾値以下であるならば、現在の番組はすぐに終了すると判断し、Ｓ１１０４に処理を移し、次の番組が録画の目的とする番組であるとして、次の番組のＥＰＧを取得する。その後の１１０５以降の処理は、図１０を用いて説明した予約録画の場合と同様であるので詳細は割愛する。【００９２】
また、図１２は、図１０の予約録画や図１１の通常録画において、Ｓ１００７やＳ１１１０で、その場で消去するのではなく、消去予約として登録した場合の消去フローの一例である。ここでは、例として、消去予約したコンテンツは、消去予約リストとして記録されているものとして説明するが、リストを新たに作成せず、消去候補リストに別パラメータとして登録しても構わない。【００９３】
図１２で録画開始したとき、Ｓ１２０１で録画が継続（通常の停止がされていない）場合は、処理はＳ１２０２に移る。停止キーが押されるなどして、録画が通常終了した場合は、そのまま録画終了される。【００９４】
Ｓ１２０２では、コンテンツ記録部１０７の残時間を取得し、Ｓ１２０３において、残容量があらかじめ設定されている値を下回っているかどうかを判定する。この数値は任意であり、ユーザが設定するものでもよいし、録画再生装置１１５であらかじめ設定されている値でも構わない。残容量が不足していなければ、特に何の処理もせずＳ１２０１に処理を移し、録画は継続される。残量が不足している場合、処理はＳ１２０４に移り、消去候補リストが存在するかどうかをチェックする。消去候補リストが存在していなければ、消去可能なものはないとして、録画を停止させる。ただし、ここでは閾値を下回った際に容量不足と判断して録画停止をしているが、実際に容量が完全になくなるまでは録画を継続させて、容量が０になったときに停止させるなどしても構わない。【００９５】
消去候補リストがあれば、処理をＳ１２０５に移し、消去候補リストを読み込む。そして、Ｓ１２０６にて該当コンテンツを消去した上で、処理をＳ１２０１に戻し、録画終了まで録画は継続する。【００９６】
上記のような例の他にも、消去候補の作成方法や表示のタイミング、実際の消去方法やタイミングに関しては、録画再生装置あるいは、外部の情報などを利用しても構わない。【００９７】
また、上記のように消去された場合に、消去候補リストを消去したコンテンツの履歴情報（属性情報）として保存するなどして、後で確認するためにモニタに表示できるようにしてもよい。【００９８】
本実施形態では、このような消去したコンテンツの履歴情報の保存、表示は録画再生装置１１５による自動消去時に行うことを想定しているが、自動消去に限らず、ユーザによる選択消去をした場合などでも構わない。消去したコンテンツの情報をユーザが後で閲覧できる形になっていれば、どのような形態をとっていても構わない。【００９９】
なお、録画再生装置１１５では、次のような表示が行われるようになっていてもよい。具体例を用いて説明すると、予約録画の際に、すべての録画予定のコンテンツ情報から録画必要領域（予想使用容量）を計算し、いつまでコンテンツ記録部１０７に記録できるか、その日付または日時の情報である記録可能日時情報を表示する。この記録可能日時情報の作成および表示に関する処理を行うのが、記録可能日時処理部（記録可能日時処理手段、図示せず）である。【０１００】
記録可能日時情報の表示例は、図１３に示すように、例えば、次のようなものが挙げられる。
（表示例１）『予約実行可能：12/30まで』
（表示例２）『現在のＨＤＤ残時間では、本日午後10：30まで記録可能』
もちろんこれらは単なる例である。【０１０１】
日付または日時を表示するための画面としては、予約設定画面、ダイレクト録画設定画面、電源ON／OFF時画面、リストから必要容量に応じた候補順に並べたリストを表示するリスト表示領域がある。これらのいずれか１つの画面に表示して構わないし、すべての画面に表示して構わない。また、上記以外の画面に表示してもよい。【０１０２】
また、予約休止・消去などが発生した場合に、録画必要領域（予想使用容量）の再計算を行い、その際に画面をポップアップ画面にて表示しても構わない。【０１０３】
また、この例は、全て予約録画をした際に計算される予想使用容量と、記録媒体の残容量から計算され、表示を行うことを前提としている。しかし、予約ではなく、通常録画中あるいは通常録画前などにリストを表示してもよい。【０１０４】
〔実施の形態２〕
本発明に係る現像装置の他の実施形態について、図１５〜図１９を用いて以下に説明する。図１５は、図１に示した実施の形態１の録画再生装置１１５のシステム制御部１０６に、容量管理部（容量管理手段）１５０２、領域分離記録部（領域分離記録手段）１５０６、新コンテンツ容量算出部（新コンテンツ容量算出手段）１５０７、記録領域容量算出部（記録領域容量算出手段）１５０８を備えた、本実施形態の録画再生装置１５０１のブロック図である。録画再生装置１５０１は、追加構成である、容量管理部１５０２、領域分離記録部１５０６、新コンテンツ容量算出部１５０７、記録領域容量算出部１５０８以外は、図１に示した実施の形態１の録画再生装置１１５と同じ構成を備えているものとするが、図示および説明は省略する。【０１０５】
図１５に示すように、容量管理部１５０２は、コンテンツ記録部１０７から取得した容量情報（記録容量および残容量の少なくとも一方の情報を含む情報）を管理、比較調整するためのブロックである。容量管理部１５０２は、本実施形態では、容量情報取得部１５０３、情報取得部１５０４、容量情報統合部１５０５を備えている。【０１０６】
容量情報取得部１５０３は、コンテンツ記録部１０７の通常領域１６００（説明は後段）の容量情報を取得するブロックである。容量情報取得部１５０４は、コンテンツ記録部１０７のセキュア領域１５００（説明は後段）の容量情報を取得するブロックである。容量情報取得部は、このように領域ごと（本実施形態では通常領域およびセキュア領域）に複数あってもいいし、領域の数に限らず１つでまかなっても構わない。【０１０７】
容量情報統合部１５０５は、容量情報取得部１５０３および情報取得部１５０４が取得した各容量情報を統合するブロックである。容量情報統合部１５０５で統合した容量情報は、不揮発性メモリ１１７に保存される。そして、以下で説明する評価関数数値の算出の際に使用される。また、消去候補リストを表示する際に、出力部１０５を介してディスプレイ１１４に表示される。【０１０８】
新コンテンツ容量算出部１５０７は、新たなコンテンツを記録する際、当該コンテンツが以下で説明する各記録領域（通常領域およびセキュア領域）にて必要となる記録容量を算出するブロックである。【０１０９】
領域分離記録部１５０６は、コンテンツに含まれるデータを、コンテンツ記録部１０７の以下で説明する各記録領域（通常領域およびセキュア領域）に分けて記録するブロックである。【０１１０】
記録領域容量算出部１５０８は、コンテンツ記録部１０７に記録されている各コンテンツに含まれるデータの記録容量を、記録領域毎（通常領域、セキュア領域）に総計し、上記各記録領域の記録容量を算出するブロックである。【０１１１】
上記のような構成である録画再生装置１５０１において、録画開始時や予約録画に消去候補リストを表示し、消去を促す方法については、上述した実施の形態１と同様であるので割愛する。【０１１２】
次に図１６を用いて、コンテンツ記録部１０７に記録されている本実施形態におけるデータについて説明する。図１６に示すように、コンテンツ記録部１０７には、データを記録する通常領域１６００とライセンス情報を記録するセキュア領域１５００とがある。ここで、ライセンスフリーのコンテンツなどのデータのみを取得した場合には、通常領域１６００に記録する。また、超流通などによりライセンス購入して得た情報は、セキュア領域１５００に記録する。また、著作権つきコンテンツ(デジタル放送の番組)などのライセンス情報付きデータを取得した場合には、ライセンス情報はセキュア領域１５００に、データは通常領域１６００に、記録するようになっている。【０１１３】
本実実施形態では、通常領域（データ領域）１６００には、コンテンツデータ１６０１およびコンテンツデータ１６０２が、セキュア領域（ライセンス領域）１５００には、上記各コンテンツデータに対応したライセンス情報の組であるライセンス情報セット１６０３およびライセンス情報セット１６０４が、記録されている。【０１１４】
ここでライセンス情報セットは、対応するコンテンツデータのサイズにより情報が増えていくものとする。例えば、対応するコンテンツデータの１分につき、１つ暗号鍵などのライセンス情報が追加される。本実施形態では、１つのライセンス情報が１ＭＢであり、セキュア領域には５０ＭＢまで記録できる。図１６に示すコンテンツデータ１６０１には、６ＭＢのライセンス情報が割り当てられていることになる。【０１１５】
ここでは、コンテンツデータは、通常領域１６００の記録可能バイト数がいっぱいになるまで記録でき、ライセンス情報は、対応するコンテンツデータの１分につき１ＭＢ追加され、５０ＭＢまで記録できるとする。【０１１６】
このように割り当てたときに、通常領域１６００の残容量（残通常領域）１６０５と、セキュア領域１５００の残容量（残セキュア領域）１６０６があり、いずれもバイト数で表すことが可能である。【０１１７】
ここで、通常領域１６００に実際にコンテンツデータがあと何時間分記録できるかを示す残容量時間は、一般的に残りバイト数に対して、記録するコンテンツデータのビットレートから算出することができる。また、セキュア領域の残容量時間は、残りバイト数から算出することができる。【０１１８】
（コンテンツの消去優先順位決定処理）
録画再生装置１５０１は、コンテンツの消去の優先順位を決定するにあたり次の処理を行う。ソーティング条件により重み付けを行った評価関数数値の一例について、図１７（ａ）の消去候補リストを用いて説明する。【０１１９】
本実施形態では、ソーティング条件（属性項目）を再生済みフラグ、通常領域使用量、セキュア領域使用量、録画日時からの経過時間、コンテンツ重要度の５つである場合に評価関数を次のように規定したとする。
評価関数：Ｗ１×Ｖ１＋Ｗ２×Ｖ２＋Ｗ３×Ｖ３＋Ｗ４×Ｖ４＋Ｗ５×Ｖ５
ここで、Ｗ１，Ｗ２，Ｗ３，Ｗ４，Ｗ５はそれぞれのソーティング条件の重み係数であり、Ｖ１，Ｖ２，Ｖ３，Ｖ４，Ｖ５はそれぞれのソーティング条件単一での評価値である。
仮に、Ｗ１，Ｗ２，Ｗ３，Ｗ４，Ｗ５それぞれの重み付けを２０，１０，１０，２０，１００であるとすると、この場合、評価関数は、次のようになる。
評価関数： ２０×Ｖ１＋１０×Ｖ２＋１０×Ｖ３＋２０×Ｖ４＋１００×Ｖ５
また、以下の（１）〜（５）を用いて各ソーティング条件についての評価値（消去因子ポイント）を求める。この評価値は図１８にまとめて示す。
（１）再生済みフラグ（Ｖ１）がＯＮであれば、３０（point）、ＯＦＦであれば０（point）
（２）通常領域使用量（Ｖ２）が、５ＧＢ未満のものであれば５（point）、５ＧＢ以上１０ＧＢ未満であれば１０（point）、１０ＧＢ以上であれば、２０（point）
（３）セキュア領域使用量（Ｖ３）が、未使用のものであれば０（point）、０ＭＢより大きく１０ＭＢ未満であれば１０（point）、１０ＭＢ以上であれば、２０（point）
（４）録画日時からの経過時間（Ｖ４）が２００６年３月３１日以前であれば５０（point）、２００６年４月１日以降であれれば、０（point）
（５）コンテンツ重要度（Ｖ５）がランク１であれば５（point）、ランク２であれば１０（point）、ランク１であれば３０（point）
なおコンテンツの重要度はユーザが決めるようになっていても、録画再生装置１５０１が予め定められた基準に従って決めるようになっていてもよい。【０１２０】
ここで、上記の図１７（ａ）に記載の各コンテンツの情報（属性情報）を基に、各コンテンツの評価関数数値（評価ポイント）を算出すると、以下のようになる。この算出は、不揮発性メモリ１１７に格納されている、コンテンツ属性情報データベースＤＢ１とポイントデータベースＤＢ２とを参照にして行なわれる。
コンテンツＡ：20× 0 ＋ 10×10 ＋ 10× 0 ＋ 20×50 ＋ 100×10 ＝ 2100（point）
コンテンツＢ：20×30 ＋ 10× 5 ＋ 10× 0 ＋ 20×50 ＋ 100×30 ＝ 4650（point）
コンテンツＣ：20× 0 ＋ 10× 5 ＋ 10×10 ＋ 20× 0 ＋ 100×30 ＝ 3150（point）
コンテンツＤ：20×30 ＋ 10× 5 ＋ 10×20 ＋ 20× 0 ＋ 100×10 ＝ 1850（point）
コンテンツＥ：20× 0 ＋ 10×10 ＋ 10×20 ＋ 20× 0 ＋ 100× 5 ＝  800（point）
したがって、評価関数数値のポイントが高いほど消去優先度が高いと判断したソーティング結果は、コンテンツＢ，Ｃ，Ａ，Ｄ，Ｅの順となり、消去候補リストは、図１７（ｂ）に示すものとなる。【０１２１】
ここで、コンテンツ記録部１０７の残容量として、通常領域１６００に２ＧＢ、セキュア領域１５００に１５ＭＢの残容量がある、という状況を考える。この状況下で、例として次の（１）〜（５）の５つの場合について考える。【０１２２】
（１）新たに録画するコンテンツがライセンス情報を含まないコンテンツ（通常領域：３ＧＢ、セキュア領域：０ＭＢ）の場合、録画再生装置１５０１は、通常領域１６００の容量が不足しているため、通常領域使用量の重み付け（Ｗ２）が他の重み付けよりも大きくなるように重み付けを設定する。例えば、通常領域使用量の重み付け（Ｗ２）を１０から５００に変更する。また、ここでは、セキュア領域使用量は無関係のため、セキュア領域使用量の重み付け（Ｗ３）を１０から０に変更する。この場合、各コンテンツの評価関数数値は、以下のようになる。
コンテンツＡ：20× 0 ＋ 500×10 ＋ 0× 0 ＋ 20×50 ＋ 100×10 ＝ 7000（point）
コンテンツＢ：20×30 ＋ 500× 5 ＋ 0× 0 ＋ 20×50 ＋ 100×30 ＝ 7100（point）
コンテンツＣ：20× 0 ＋ 500× 5 ＋ 0×10 ＋ 20× 0 ＋ 100×30 ＝ 5500（point）
コンテンツＤ：20×30 ＋ 500× 5 ＋ 0×20 ＋ 20× 0 ＋ 100×10 ＝ 4100（point）
コンテンツＥ：20× 0 ＋ 500×10 ＋ 0×20 ＋ 20× 0 ＋ 100× 5 ＝ 5500（point）
したがって、評価関数数値のポイントが高いほど消去優先度が高いと判断したソーティング結果は、コンテンツＢ，Ａ，Ｃ，Ｅ，Ｄの順となり、消去候補リストは、図１９（ａ）に示すものとなる。【０１２３】
（２）新たに録画するコンテンツが超流通などによるライセンス情報のみのコンテンツ（通常領域：０ＧＢ、セキュア領域：２０ＭＢ）の場合、録画再生装置１５０１は、セキュア領域１５００の容量が不足しているため、セキュア領域使用量の重み付け（Ｗ３）が他の重み付けよりも大きくなるように設定する。例えば、セキュア領域使用量の重み付け（Ｗ３）を１０から５００に変更する。また、ここでは、通常領域１６００の使用量は無関係のため、通常領域使用量の重み付け（Ｗ２）を１０から０に変更する。この場合、各コンテンツの評価関数数値は、以下のようになる。
コンテンツＡ：20× 0 ＋ 0×10 ＋ 500× 0 ＋ 20×50 ＋ 100×10 ＝  2000（point）
コンテンツＢ：20×30 ＋ 0× 5 ＋ 500× 0 ＋ 20×50 ＋ 100×30 ＝  4600（point）
コンテンツＣ：20× 0 ＋ 0× 5 ＋ 500×10 ＋ 20× 0 ＋ 100×30 ＝  8000（point）
コンテンツＤ：20×30 ＋ 0× 5 ＋ 500×20 ＋ 20× 0 ＋ 100×10 ＝ 11600（point）
コンテンツＥ：20× 0 ＋ 0×10 ＋ 500×20 ＋ 20× 0 ＋ 100× 5 ＝ 10500（point）
したがって、評価関数数値のポイントが高いほど消去優先度が高いと判断したソーティング結果は、コンテンツＤ，Ｅ，Ｃ，Ｂ，Ａの順となり、消去候補リストは、図１９（ｂ）に示すものとなる。【０１２４】
（３）新たに録画するコンテンツがライセンス情報を含むコンテンツ（通常領域：３ＧＢ、セキュア領域：５ＭＢ）の場合、録画再生装置１５０１は、通常領域１６００の容量が不足しているため、通常領域使用量の重み付け（Ｗ２）が他の重み付けよりも大きくなるように設定する。例えば、通常領域使用量の重み付け（Ｗ２）を１０から５００に変更する。また、ここでは、セキュア領域１５００の使用量は関係ないため、セキュア領域使用量の重み付け（Ｗ３）を２０から０に変更する。この場合、各コンテンツの評価関数数値は、以下のようになる。
コンテンツＡ：20× 0 ＋ 500×10 ＋ 0× 0 ＋ 20×50 ＋ 100×10 ＝ 7000（point）
コンテンツＢ：20×30 ＋ 500× 5 ＋ 0× 0 ＋ 20×50 ＋ 100×30 ＝ 7100（point）コンテンツＣ：20× 0 ＋ 500× 5 ＋ 0×10 ＋ 20× 0 ＋ 100×30 ＝ 5500（point）
コンテンツＤ：20×30 ＋ 500× 5 ＋ 0×20 ＋ 20× 0 ＋ 100×10 ＝ 4100（point）
コンテンツＥ：20× 0 ＋ 500×10 ＋ 0×20 ＋ 20× 0 ＋ 100× 5 ＝ 5500（point）
したがって、評価関数数値のポイントが高いほど消去優先度が高いと判断したソーティング結果は、コンテンツＢ，Ａ，Ｃ，Ｅ，Ｄの順となり、消去候補リストは、図１９（ａ）に示すものとなる。【０１２５】
（４）新たに録画するコンテンツがライセンス情報を含むコンテンツ（通常領域：２ＧＢ、セキュア領域：２０ＭＢ）の場合、録画再生装置１５０１は、セキュア領域１５００の容量が不足しているため、セキュア領域使用量の重み付け（Ｗ３）が他の重み付けよりも大きくなるように設定する。例えば、セキュア領域使用量の重み付け（Ｗ３）を１０から５００に変更する。また、ここでは、通常領域１６００の使用量は関係ないため、通常領域使用量の重み付け（Ｗ２）を１０から０に変更する。この場合、各コンテンツの評価関数数値は、以下のようになる。
コンテンツＡ：20× 0 ＋ 0×10 ＋ 500× 0 ＋ 20×50 ＋ 100×10 ＝  2000（point）
コンテンツＢ：20×30 ＋ 0× 5 ＋ 500× 0 ＋ 20×50 ＋ 100×30 ＝  4600（point）
コンテンツＣ：20× 0 ＋ 0× 5 ＋ 500×10 ＋ 20× 0 ＋ 100×30 ＝  8000（point）
コンテンツＤ：20×30 ＋ 0× 5 ＋ 500×20 ＋ 20× 0 ＋ 100×10 ＝ 11600（point）
コンテンツＥ：20× 0 ＋ 0×10 ＋ 500×20 ＋ 20× 0 ＋ 100× 5 ＝ 10500（point）
したがって、評価関数数値のポイントが高いほど消去優先度が高いと判断したソーティング結果は、コンテンツＤ，Ｅ，Ｃ，Ｂ，Ａの順となり、消去候補リストは、図１９（ｂ）に示すものとなる。【０１２６】
（５）新たに録画するコンテンツがライセンス情報を含むコンテンツ（通常領域：５ＧＢ、セキュア領域：２０ＭＢ）の場合、録画再生装置１５０１は、通常領域１６００、セキュア領域１５００の両方の容量が不足しているため、通常領域使用量の重み付け（Ｗ２）およびセキュア領域使用量の重み付け（Ｗ３）が他の重み付けより大きくなるように設定する。例えば、通常領域使用量の重み付け（Ｗ２）を１０から５００に変更する。また、セキュア領域使用量の重み付け（Ｗ３）を１０から５００に変更する。この場合、各コンテンツの評価関数数値は、以下のようになる。
コンテンツＡ：20× 0 ＋ 500×10 ＋ 500× 0 ＋ 20×50 ＋ 100×10 ＝  7000（point）
コンテンツＢ：20×30 ＋ 500× 5 ＋ 500× 0 ＋ 20×50 ＋ 100×30 ＝  7100（point）
コンテンツＣ：20× 0 ＋ 500× 5 ＋ 500×10 ＋ 20× 0 ＋ 100×30 ＝ 10500（point）
コンテンツＤ：20×30 ＋ 500× 5 ＋ 500×20 ＋ 20× 0 ＋ 100×10 ＝ 14100（point）
コンテンツＥ：20× 0 ＋ 500×10 ＋ 500×20 ＋ 20× 0 ＋ 100× 5 ＝ 15500（point）
したがって、評価関数数値のポイントが高いほど消去優先度が高いと判断したソーティング結果は、コンテンツＤ，Ｅ，Ｃ，Ｂ，Ａの順となり、消去候補リストは、図１９（ｃ）に示すものとなる。【０１２７】
以上のように評価関数数値が変わり、状況に応じてソーティング優先度は入れ替わることとなる。本実施形態の上記例では、各領域について容量が不足した場合に評価値（Ｖ１〜Ｖ５）はそのままで、重み付け（Ｗ１〜Ｗ５）のみを変更した。しかし、例えば不足容量が分かっている場合、コンテンツの使用量が不足容量未満の評価値を０、不足容量以上の評価値を１としたうえで、重み付けを変更してもよい。【０１２８】
また、上記例では、再生済みフラグ，通常領域使用量、セキュア領域使用量、録画日時からの経過時間、コンテンツ重要度の５つの条件を基に評価関数数値を算出した。しかし、これに限定するものではなく、各コンテンツに対応している情報を基にしているものであれば、条件項目および条件項目数を任意に設定した別の評価関数を用いて評価関数数値を算出しても構わない。【０１２９】
また、上記例では、重み付けを録画再生装置１５０１が行うものとするが、これに限らず、ユーザ操作による重み付けが行われてもよい。【０１３０】
また、上記例では、では、ソーティング条件に重み付けを行っているが、行われなくても、つまり、上記Ｗ１，Ｗ２，Ｗ３，Ｗ４，Ｗ５はそれぞれ１であってもよい。【０１３１】
また、上記では、ソーティング条件として、必要な領域の重み付けを５０倍、特に必要のない領域の重み付けを０倍としているが、これに限定するものではなく、状況やユーザ操作によって重み付けは可変となっていてもであってもよい。【０１３２】
また、上記例では、各ソーティング条件についての評価値の１次関数の和により評価関数を構成した例であったが、これに限定するものではない。例えば、高次関数で構成してもよいし、各ソーティング条件についての評価値間の乗算などにより構成したものでもよい。【０１３３】
また、この更新を行うタイミングも、例えば、コンテンツＢを再生開始した際、再生停止後、リスト表示時など、更新を実行するタイミングは、どのような場合に行っても構わないし、どのように組み合わせても構わない。【０１３４】
以上のように作成された消去候補リストを実際に表示する方法については、使用容量について次のような方法がある。【０１３５】
録画再生装置１５０１は、消去候補リストは単純にソーティングされたリストを表示するのではなく、予約情報などから推測される不足容量分の容量を空けるために消去が必要なコンテンツをユーザが選択しやすい形で表示する。この表示は、実施の形態１にて説明したものと同様に行えばよい。なお、録画するのに必要なサイズ、不足しているサイズ、録画済みコンテンツが使用しているサイズを表示するとよい。例えば、セキュア領域１５００および通常領域１６００の両方について上記各サイズを表示してもよいし、少ないほうの領域のみについて上記各サイズ表示してもよい。あるいは、残容量（必要容量）については表示しなくてもよい。【０１３６】
以上に説明した消去候補リスト作成、表示、選択消去の方法を用いた消去選択候補表示および消去についての代表的なフローについても実施の形態１と同様のため、割愛する。【０１３７】
以上で説明した、録画再生装置１１５、１５０１の各ブロック、特にシステム制御部１０６は、ハードウェアロジックによって構成してもよいし、次のようにＣＰＵ（central processing unit）を用いてソフトウェアによって実現してもよい。【０１３８】
すなわち、録画再生装置１１５、１５０１は、各機能を実現する制御プログラムの命令を実行するＣＰＵ、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである録画再生装置１１５の制御プログラムのプログラムコード（実行形式プログラム、中間コードプログラム、ソースプログラム）をコンピュータで読み取り可能に記録した記録媒体を、上記録画再生装置１１５に供給し、そのコンピュータ（またはＣＰＵやＭＰＵ）が記録媒体に記録されているプログラムコードを読み出し実行することによっても、達成可能である。【０１３９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＢＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０１４０】
また、録画再生装置１１５を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。【０１４１】
以上のように、本発明に係る記録装置は、上記課題を解決するために、新たなコンテンツの記録に必要な記録容量を計算し、記録媒体の記録容量が不足する場合には、当該記録媒体に記録されているコンテンツを消去して、上記新たなコンテンツを当該記録媒体に記録する記録装置において、上記記録媒体に記録されているコンテンツと当該コンテンツの複数の属性項目の各属性情報とを関連付けたコンテンツ属性データベースと、上記属性項目毎に複数設定された各消去因子と、消去因子ポイントとを関連付けたポイントデータベースとを格納した格納部と、上記コンテンツ属性データベースから、コンテンツ毎に、属性情報を抽出し、抽出した各属性情報と対応する消去因子に関連付けられた消去因子ポイントを、上記ポイントデータベースからそれぞれ抽出し、抽出した複数の消去因子ポイントに基づいて評価ポイントを算出するポイント算出手段と、を備えることを特徴としている。【０１４２】
また、本発明に係る記録装置の制御方法は、上記課題を解決するために、新たなコンテンツの記録に必要な記録容量を計算し、記録媒体の記録容量が不足する場合には、当該記録媒体に記録されているコンテンツを消去して、上記新たなコンテンツを当該記録媒体に記録する記録装置の制御方法において、上記記録装置は、上記記録媒体に記録されているコンテンツと当該コンテンツの複数の属性項目の各属性情報とを関連付けたコンテンツ属性データベースと、上記属性項目毎に複数設定された各消去因子と、消去因子ポイントとを関連付けたポイントデータベースとを格納した格納部を備えており、上記コンテンツ属性データベースから、コンテンツ毎に、属性情報を抽出し、抽出した各属性情報と対応する消去因子に関連付けられた消去因子ポイントを、上記ポイントデータベースからそれぞれ抽出し、抽出した複数の消去因子ポイントに基づいて評価ポイントを算出するポイント算出ステップを含むことを特徴としている。【０１４３】
本発明に係る記録装置は、上記構成に加え、上記ポイント算出手段は、抽出した複数の消去因子ポイントを、消去因子ポイントの対応する消去因子が属する属性項目に設定された重みによって重み付けし、複数の重み付けした消去因子ポイントに基づいて評価ポイントを算出してもよい。【０１４４】
上記構成によると、各コンテンツの評価ポイント算出は、抽出した複数の消去因子ポイントを、消去因子ポイントの対応する消去因子が属する属性項目に設定された重みによって重み付けし、複数の重み付けした消去因子ポイントに基づいて行われる。よって、消去因子に予めポイントが付けられていても、属性項目の重みを加味した評価ポイントの算出を行うことができる。属性項目に設定する重みは、ユーザが設定できるようになっていていると、ユーザの好みの属性項目を、例反映させた評価ポイントが算出されることになる。【０１４５】
本発明に係る記録装置は、上記構成に加え、上記ポイント算出手段により計算された評価ポイントを基に、上記記録媒体に記録されているコンテンツの消去順位を決定する消去順位決定手段と、消去順位決定手段が決定した消去順位に基づいた順に並べた、コンテンツの属性情報を表示する表示処理手段と、ユーザによる消去指示を受け付け、上記記録媒体に記録されているコンテンツを消去する消去処理手段と、を備えていてもよい。【０１４６】
上記構成によると、消去順位決定手段により、計算された評価ポイントを基に、記録媒体に記録されているコンテンツの消去順位を決定される。また、表示処理手段により、消去順位決定手段が決定した消去順位に基づいた順に並べたコンテンツの属性情報が表示される。また、ユーザの消去指示があると、消去処理手段により、上記記録媒体に記録されているコンテンツを消去する。【０１４７】
よって、ユーザは、消去順位決定手段が決定した消去順位に基づいた順に並べたコンテンツの属性情報を確認することができ、ユーザは、その消去順位に基づいてコンテンツの消去指示をすることで、適切な操作で記録媒体に必要な空き容量を確保することができる。また、消去順位が決定されているので、どの順に消去してよいかがユーザにとってわかりやすく、必要容量を確保するために消去するコンテンツの選択に手間をかけなくても済むようになる。【０１４８】
なお、決定した消去順位に基づいた順に並べたコンテンツの属性情報を表示する際には、一画面に複数表示してもよいし、ユーザ操作により一画面に順に一つずつ、あるいは複数ずつ、表示できるようになっていてもよい。【０１４９】
本発明に係る記録装置では、上記構成に加え、上記ポイント算出手段により計算された評価ポイントを基に、上記記録媒体に記録されているコンテンツの消去順位を決定する消去順位決定手段と、消去順位決定手段により決定された消去順位に従って、上記記録媒体に記録されているコンテンツを消去する消去処理手段と、を備えていてもよい。【０１５０】
上記構成によると、消去順位決定手段により、ポイント算出手段により計算された評価ポイントを基に、上記記録媒体に記録されているコンテンツの消去順位が決定される。また、消去処理手段により、決定された消去順位に従って、上記記録媒体に記録されているコンテンツが消去される。よって、ユーザは特に操作することなく、評価ポイントを基に決定されたコンテンツの消去順位に従って消去がおこなわれるので、操作の手間が必要ない。また、予めユーザが消去因子ポイントを決めておけば、ユーザ希望の消去順位に決定され、ユーザが予期しないコンテンツの消去を防ぐことができる。【０１５１】
なお、コンテンツは、新たなコンテンツの記録の予約が行われる際に消去されてもよいし、消去候補として記憶しておき、実際に記録媒体の容量が足りなくなったときに消去するようにしてもよい。【０１５２】
本発明に係る記録装置では、上記構成に加え、上記表示処理手段は、新たなコンテンツの記録に必要な容量に達する消去順位までのコンテンツの属性情報を表示してもよい。【０１５３】
上記構成によると、新たなコンテンツの記録に必要な容量に達する消去順位までのコンテンツの属性情報が表示される。よって、必要以上のコンテンツの属性情報は表示されないので、ユーザは、必要容量を確保するための消去するコンテンツの選択に手間をかけずに済む。【０１５４】
本発明に係る記録装置は、上記構成に加え、新たなコンテンツのダビングの予約を受け付けるダビング予約受け付け手段を備え、上記消去順位決定手段は、上記消去処理手段が消去しないように、ダビング予約されたコンテンツに消去順位を付けなくてもよい。【０１５５】
上記構成によると、ダビング予約されたコンテンツに消去順位が付けられない。そのため、ユーザが後にダビングするように予約しているものについては、消去の対象から外すことができる。よって、ユーザが予期しないコンテンツの消去を防ぐことができる。【０１５６】
本発明に係る記録装置は、上記構成に加え、コンテンツを消去する際に、当該コンテンツ属性情報を上記格納部に保存する消去コンテンツ属性情報保存手段を備えていてもよい。【０１５７】
上記構成によると、コンテンツを消去する際に、当該コンテンツ属性情報は、格納部に保存される。よって、消去されたコンテンツ属性情報を表示することで、消去されたコンテンツをユーザが確認したいときに、確認することができる。例えば、ダビングやムーブではなく、実際に消去したことを確認することでき、ユーザには便利である。また、消去順位に基づいた順に並べたコンテンツの属性情報を表示させ、ユーザが実際に消去するコンテンツを選択する際に、ユーザは過去に消去されたコンテンツを参考にすることができる。また、消去順位を決定する際に、過去に消去したコンテンツの属性情報を参考に、消去順位を決定することもできる。【０１５８】
また、本発明に係る記録装置は、上記構成に加え、新たに記録されるコンテンツが複数ある場合、上記表示処理手段は、新たに記録される複数のコンテンツのうち、特定の記録期間のコンテンツを記録するために必要な容量に相当する上記記録媒体に記録されているコンテンツの属性情報と、上記特定の記録期間のコンテンツ以外の新たなコンテンツの記録に必要な上記記録媒体に記録されているコンテンツの属性情報とを同時に表示してもよい。【０１５９】
上記構成によると、新たに記録されるコンテンツが複数ある場合、特定の記録期間のコンテンツを記録するために必要な容量に相当する既に記録されたコンテンツの属性情報と、特定の記録期間のコンテンツ以外の新たなコンテンツの記録に必要な既に記録されたコンテンツの属性情報とが同時に表示される。【０１６０】
ここで特定の記録期間とは、例えば、１日、１週間、１ヶ月等の期間のことであるが、これらに限定はされない。上記のような表示を行うことで、ユーザは、特定の記録期間のコンテンツを記録するため必要な消去対象のコンテンツと、それ以外の新たに記録されるコンテンツの記録に必要な消去対象のコンテンツとを同時に知ることができる。これにより、ユーザは、特定の記録期間のコンテンツを記録するために必要な容量を確保するための消去するコンテンツの選択に手間をかけずに済む。【０１６１】
また、本発明に係る記録装置は、上記構成に加え、新たに記録されるコンテンツが複数ある場合、上記表示処理手段は、新たに記録される複数のコンテンツのうちの特定の記録期間のコンテンツを記録するために必要な容量に相当する上記記録媒体に記録されているコンテンツの属性情報とは別に、上記特定の記録期間のコンテンツ以外の新たなコンテンツの記録に必要な上記記録媒体に記録されているコンテンツの属性情報を同時あるいは段階的に表示してもよい。【０１６２】
上記構成によると、新たに記録されるコンテンツが複数ある場合、特定の記録期間のコンテンツを記録するために必要な容量に相当する既に記録されたコンテンツの属性情報とは別に、特定の記録期間のコンテンツ以外の新たなコンテンツの記録に必要な既に記録されているコンテンツの属性情報が同時あるいは段階的に表示される。【０１６３】
よって、ユーザは、特定の記録期間のコンテンツを記録するため必要な消去対象のコンテンツとは別に、それ以外の新たに記録されるコンテンツの記録に必要な消去対象のコンテンツとを同時あるいは段階的に知ることができる。これにより、ユーザは、特定の記録期間のコンテンツを記録するために必要な容量を確保するための消去するコンテンツの選択に手間をかけずに済む。【０１６４】
また、本発明に係る記録装置は、上記課題を解決するために、新たなコンテンツの記録の予約が可能であり、新たなコンテンツの記録に必要な記録容量を計算し、記録媒体の記録容量が不足する場合には、当該記録媒体に記録されているコンテンツを消去して、上記新たなコンテンツを当該記録媒体に記録する記録装置において、記録を予約されているコンテンツの実際の記録が可能な日時の情報である記録可能日時情報を作成して表示する記録可能日時処理手段を備えることを特徴としている。【０１６５】
上記構成によると、記録を予約されているコンテンツの実際の記録が可能な日時の情報である記録可能日時情報が表示される。よって、ユーザは、記録媒体に記録できる以上の記録の予約をしてしまったとしても、記録を予約しているコンテンツの実際の記録が可能な日時の情報を確認することができる。このように、ユーザは、予約した記録がいつまで可能かどうかを容易に確認することができ、コンテンツの消去を適切に行うことができる。【０１６６】
また、本発明に係る記録装置は、上記構成に加え、上記記録可能日時処理手段は、上記記録可能日時情報の表示を、消去順に並べたコンテンツの属性情報を表示する属性情報表示領域に行ってもよい。【０１６７】
上記構成によると、記録可能日時情報が消去順に並べたコンテンツの属性情報を表示する領域に行われる。このような表示であると、ユーザは、消去順に並べたコンテンツの属性情報を確認するとき、記録可能日時情報とを参照しやすい。そのため、ユーザは記録可能日時情報を参照して消去するコンテンツを決定しやすい。よって、ユーザは、簡便に消去対象のコンテンツを消去することができる。【０１６８】
また、本発明に係る記録装置は、上記構成に加え、上記記録可能日時処理手段は、上記記録媒体に空き容量が不足する度に、上記記録可能日時情報を更新してもよい。【０１６９】
上記構成によると、記録媒体に空き容量が不足する度に、記録可能日時情報が更新されるので、ユーザは正しい情報で、確実に消去対象のコンテンツを消去することができる。また、消去対象のコンテンツが増えた場合も、手早く必要な容量を記録媒体に空けることができる。【０１７０】
また、上記記録装置は、コンピュータによって実現してもよく、この場合には、コンピュータを上記記録装置における上記各手段として動作させることにより上記記録装置をコンピュータにて実現させる記録装置制御プログラム、及びその記録装置制御プログラムを記録したコンピュータ読み取り可能な記録媒体も、本発明の範疇に入る。【０１７１】
これらの構成によれば、記録装置制御プログラムを、コンピュータに読み取り実行させることによって、上記記録装置と同一の作用効果を実現することができる。【０１７２】
また、本発明は次のような構成の録画再生装置として表現してもよい。すなわち、条件に沿って消去候補タイトルを選択し、リストを作成するリスト作成部と録画必要領域を計算し、リストから必要領域に応じた候補順に並べたリストを表示するリスト表示部と、リスト表示部でユーザに促された消去タイトルのうち、実際に消去されるタイトルの選択（最終的に選択されたタイトルの消去選択）を行う消去タイトル選択部とを備え、表示するリストは、自動的に複数の条件を組み合わせることで作成・表示するか、または、ユーザによって優先度が設定された複数の条件を組み合わせることで作成・表示することで、選択されたタイトルを消去する録画再生装置、と表現してもよい。【０１７３】
また、本発明は次のような構成の録画再生装置として表現してもよい。すなわち、特定条件に沿って消去候補タイトルを選択し，リストを作成するリスト作成部と、録画必要領域を計算し、リストから必要領域に応じた候補順に並べたリストを表示するリスト表示部と、リスト表示部でユーザに促された消去タイトルのうち，実際に消去されるタイトルの選択（最終的に選択されたタイトルの消去選択）を行う、消去タイトル選択部とを備え、表示するリストは、自動的に複数の条件を組み合わせることで作成・表示するか、または、ユーザによって優先度が設定された複数の条件を組み合わせることで作成・表示することで、選択されたタイトルを消去候補として登録する録画再生装置、と表現してもよい。【０１７４】
また、上記録画再生装置は、上記構成に加え、記録媒体の録画必要領域をデジタル放送等で付随される番組情報から取得してもよい。【０１７５】
また、上記録画再生装置は、上記構成に加え、記録媒体の録画必要領域を入力された情報から取得する構成でもよい。【０１７６】
また、上記録画再生装置は、上記構成に加え、消去候補として登録されているタイトルを任意のタイミングで消去してもよい。【０１７７】
また、上記録画再生装置は、上記構成に加え、消去候補として登録されているタイトルを自動的に消去してもよい。【０１７８】
また、上記録画再生装置は、上記構成に加え、リスト表示部において，必要な領域分の候補のみ表示してもよい。【０１７９】
また、上記録画再生装置は、上記構成に加え、リスト表示部において，必要な領域分の候補と他の消去候補を同時に表示してもよい。【０１８０】
また、上記録画再生装置は、上記構成に加え、リスト表示部において，必要な領域分の候補とは別に，他の消去候補を同時あるいは段階的に表示してもよい。【０１８１】
また、上記録画再生装置は、上記構成に加え、表示部において，必要な領域分の候補を複数同時に表示してもよい。【０１８２】
また、上記録画再生装置は、上記構成に加え、リスト作成部において、ダビング予約されたタイトルに関しては消去候補タイトルから除外して、それ以外の候補タイトルからリストを作成してもよい。【０１８３】
また、本発明は次のような構成の録画再生装置として表現してもよい。すなわち、記録されているタイトルを消去した際に、消去されたタイトルの情報履歴を保存する録画再生装置、と表現してもよい。【０１８４】
また、上記録画再生装置は、上記構成に加え、保存された消去タイトルの情報をモニタなどの出力装置に表示してもよい。【０１８５】
また、上記録画再生装置は、上記構成に加え、録画必要領域を計算し，記録可能な日付または日時を表示してもよい。【０１８６】
また、上記録画再生装置は、上記構成に加え、録画必要領域を計算し，予約設定画面、ダイレクト録画設定画面、電源ON／OFF時画面に、記録可能な日付または日時を表示してもよい。【０１８７】
また、上記録画再生装置は、上記構成に加え、録画必要領域を計算し，リストから必要領域に応じた候補順に並べたリストを表示するリスト表示部に、記録可能な日付または日時を表示してもよい。【０１８８】
また、上記録画再生装置は、上記構成に加え、適時、録画必要領域の再計算を行い、更新された記録可能な日付または日時を表示してもよい。【０１８９】
本発明は上述した各実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１９０】
本発明は、デジタル放送などを記録可能であり空き容量を確保するために既に記録されている情報を消去することができる記録装置、録画再生装置等に適用できる。レコーダだけでなく、デジタル放送などを記録可能であり空き容量を確保するために既に記録されている情報を消去することが可能なパーソナルコンピュータ等にも利用することができる。
【図１】
0004468454.tif 000002
【図２（ａ）】
0004468454.tif 000003
【図２（ｂ）】
0004468454.tif 000004
【図３（ａ）】
0004468454.tif 000005
【図３（ｂ）】
0004468454.tif 000006
【図４】
0004468454.tif 000007
【図５（ａ）】
0004468454.tif 000008
【図５（ｂ）】
0004468454.tif 000009
【図６（ａ）】
0004468454.tif 000010
【図６（ｂ）】
0004468454.tif 000011
【図７（ａ）】
0004468454.tif 000012
【図７（ｂ）】
0004468454.tif 000013
【図７（ｃ）】
0004468454.tif 000014
【図７（ｄ）】
0004468454.tif 000015
【図８（ａ）】
0004468454.tif 000016
【図８（ｂ）】
0004468454.tif 000017
【図９】
0004468454.tif 000018
【図１０】
0004468454.tif 000019
【図１１】
0004468454.tif 000020
【図１２】
0004468454.tif 000021
【図１３】
0004468454.tif 000022
【図１４】
0004468454.tif 000023
【図１５】
0004468454.tif 000024
【図１６】
0004468454.tif 000025
【図１７（ａ）】
0004468454.tif 000026
【図１７（ｂ）】
0004468454.tif 000027
【図１８】
0004468454.tif 000028
【図１９（ａ）】
0004468454.tif 000029
【図１９（ｂ）】
0004468454.tif 000030
【図１９（ｃ）】
0004468454.tif 000031